(57)【要約】【課題】吸湿時の伸長によって突き上げを生じたりすることなく、また、床鳴り等の問題が起きることがなく、床材を作業性よく直貼りすることのできる床材の施工方法を提供する。【解決手段】長尺の縦縁と短い横縁とを有する床材を置敷いて施工する方法であって、縦縁に軟質クッション材２１を延設した床材２、片側の縦縁と横縁とに軟質クッション材３１をＬ字型に延設した床材３、横縁に軟質クッション材４１を延設した床材４、および通常の床材１とからなる複数の床材を、敷設領域９の側面に上記縁部に軟質クッション材を有する床材の軟質クッション材を突き付けて施工を開始し、引き続き通常の床材１を連接して置敷くとともに、施工を終了するときには上記敷設領域９の側面と通常床材１の縦縁および横縁との間に軟質クッション体８を介装することを特徴とする床材の施工方法。【選択図】図５
2009046870.tif 000002
【特許請求の範囲】
【請求項１】
長尺の縦縁と短い横縁とを有する床材を置敷いて施工する方法であって、縦縁に軟質クッション材を延設した床材、片側の縦縁と横縁とに軟質クッション材をＬ字型に延設した床材、横縁に軟質クッション材を延設した床材、および通常の床材とからなる複数の床材を、敷設領域の側面に上記縁部に軟質クッション材を有する床材の軟質クッション材を突き付けて施工を開始し、引き続き通常の床材を連接して置敷くとともに、施工を終了するときには上記敷設領域の側面と通常床材の縦縁および横縁との間に軟質クッション体を介装することを特徴とする床材の施工方法。
【請求項２】
上記床材の裏面には凹溝が刻設されてなる請求項１に記載の床材の施工方法。
【請求項３】
上記床材の裏面には弾性材が貼着されてなる請求項１に記載の床材の施工方法。
【請求項４】
上記床材が木質床材である請求項１に記載の床材の施工方法。
【請求項５】
上記施工領域の側面に貼着された軟質クッション体に通常の床材を突き付けて施工を終了する請求項１に記載の床材の施工方法。
【請求項６】
上記施工領域の側面と通常の床材との隙間に軟質クッション体をタイトに納めて施工を終了する請求項１に記載の床材の施工方法。
【発明の詳細な説明】
【技術分野】
【０００１】
本発明は、床材の施工方法に関する。さらに詳しくは、床下地に床材を置敷き直貼りして床を形成する床材の施工方法に関する。
【背景技術】
【０００２】
一般住宅や集合住宅におけるコンクリートスラブ等の床下地に、床材、例えば、表面を化粧された木質床材を直貼りすることは一般的に行われており、そのとき、階上から階下への音の伝搬を減少させ、また、床下地の不陸を吸収して歩行感をよくする等の観点から、木質床材の裏面に合成樹脂発泡体シートのような弾性材をシート状とし、緩衝材として貼着した床材が多く用いられている。
【０００３】
上記床材の施工は、通常、幅木を壁に取り付けた後に幅木の前面に床材の端部を突き当て、つぎつぎと床材を置敷き、実結合等によって床材どうしを結合することによって床下地に置敷き、直貼りして行われている。しかし、例えば、木質床材を用いた場合、水分等の影響によって伸縮するという特徴があるため、木質床材が伸長した場合に幅木を押圧して幅木を損傷させるという問題がある。そのため、例えば、木質床材の厚みに合わせた高さの弾性体を壁に取り付けてこの弾性体の上に幅木を載置するという方法も考えられるが、弾性体自身も伸縮するため、幅木の位置決めをするのが困難であるという問題がある。
【０００４】
そこで、下記特許文献１には、下面が床下地の表面に、裏面が壁表面に接触するように位置付けられる幅木と、幅木の表面にその端部が突き当てられる床材との納まり構造であって、弾性材の裏面が壁表面に固定され、弾性材の前面に、その下面が床下地表面に接触する幅木本体が固定され、この幅木本体の前面に床下地上に敷設される床材の端部が突き付けられることを特徴とする幅木と床材の納まり構造が提案されている。
【０００５】
そして、幅木本体に弾性材が取り付けられているので床材が水分を含んで膨張した場合でも床材の端部が幅木を圧迫して幅木を損傷させる等ということがなく、また、幅木本体の下面が床下地に接触するようにされているため、幅木の施工時に弾性材の伸縮によって幅木の位置決めが困難になるということがないという効果があると述べられている。
【特許文献１】特開平１１−２１０２１６号公報（第１〜３頁、第１、第２図、第３図）
【発明の開示】
【発明が解決しようとする課題】
【０００６】
しかしながら、上記特許文献１に記載の技術を用いても、木質床材をコンクリートスラブ等の床下地に置敷いて直貼りする施工方法においては、依然として木質床材の伸縮等の問題を解決することはできない。
【０００７】
本発明は、このような状況に鑑みて考え出されたものであり、床材、例えば、木質床材を床下地に直貼りして置敷き、床を施工するとき、施工後に敷設領域の側面、例えば幅木との間に隙間ができたり、吸湿時の伸長によって突き上げを生じたりすることなく、また、床鳴り等の問題が起きることがなく、床材を作業性よく直貼りすることのできる床材の施工方法を提供することを、その課題とする。
【課題を解決するための手段】
【０００８】
上記課題を解決するために、本発明においては、つぎのような技術的手段を講じている。すなわち、本願請求項１に記載した床材の施工方法は、長尺の縦縁と短い横縁とを有する床材を置敷いて施工する方法であって、縦縁に軟質クッション材を延設した床材、片側の縦縁と横縁とに軟質クッション材をＬ字型に延設した床材、横縁に軟質クッション材を延設した床材、および通常の床材とからなる複数の床材を、敷設領域の側面に上記縁部に軟質クッション材を有する床材の軟質クッション材を突き付けて施工を開始し、引き続き通常の床材を連接して置敷くとともに、施工を終了するときには上記敷設領域の側面と通常の床材の縦縁および横縁との間に軟質クッション体を介装することを特徴とするものである。
【０００９】
上記床材としては、特に限定されず、中密度繊維板（ＭＤＦ）、パーティクルボード等の木質材料系、または、ポリプロピレン、ポリエチレン、ＡＢＳ樹脂等の合成樹脂材料系、あるいは両者の複合系等種々の床材が用いられる。
【００１０】
上記軟質クッション材としては、柔軟性に富み、かつ、上記床材の伸縮を吸収できるもでれば特に限定されず、スポンジ、発泡合成ゴム、ポリウレタンフォーム、ポリエチレンフォーム等、公知の軟質クッション材が用いられる。また、軟質クッション体も上記と同様のものが用いられる。
【００１１】
上記敷設領域は、リビング、廊下のように、壁面、框、沓ズリ、サッシ部等によって区画される領域を示す。また、リフォームの場合はリフォームされる区画を示す。
【００１２】
本願請求項２に記載した発明は、上記床材の裏面には凹溝が刻設されてなることを特徴としている。凹溝の形態としては、例えば下方に開口するコ字型とし、このような凹溝が直線状あるいはジグザグ状に刻設される。また、碁盤状に刻設してもよい。
【００１３】
本願請求項３に記載した発明は、上記請求項１記載の床材の施工方法において、上記床材の裏面には弾性材が貼着されてなることを特徴としている。弾性材としては、例えば、天然ゴム、スチレン−ブタジエンゴム、クロルスルホン化ポリエチレンゴム、ポリウレタンゴム、ブチルゴム、ポリイソプロピレンゴム等の合成ゴム、ポリ塩化ビニル樹脂、ポリウレタン樹脂、エチレン−酢酸ビニル共重合体、ポリプロピレン、低密度ポリエチレン、ポリアクリル樹脂、ポリエステル、ポリアミド等をあげることができる。これらは低度に発泡して用いてもよい。上記弾性材は、通常、シート体で用いられる。
【００１４】
本願請求項４に記載した発明は、上記請求項１記載の床材の施工方法において、上記床材が木質床材であることを特徴としている。木質床材としては、木質系であれば特に限定されず、ムクの木材、化粧合板、ＭＤＦ複合合板、ＷＰＢ（ウッドプラスチックボード）等が用いられる。
【００１５】
本願請求項５に記載した発明は、上記請求項１記載の床材の施工方法において、上記施工領域の側面に貼着された軟質クッション体に通常の床材を突き付けて施工を終了することを特徴としている。
【００１６】
本願請求項６に記載した発明は、上記請求項１記載の床材の施工方法において、上記施工領域の側面と通常の床材との隙間に軟質クッション体をタイトに納めて施工を終了することを特徴としている。
【発明の効果】
【００１７】
請求項１に記載した発明にかかる床材の施工方法においては、上記のとおりであり、特に、縦縁に、片側の縦縁と横縁にＬ字型に、横縁にそれぞれ軟質クッション材を延設した床材、および通常の床材とからなる複数の床材を、敷設領域の側面に軟質クッション材を有する床材の軟質クッション材を突き付けて施工を開始し、引き続き通常の床材を連接して置敷くとともに、施工を終了するときには上記敷設領域の側面と通常床材の縦縁および横縁との間に軟質クッション体が介装されているため、施工後に敷設領域の側面、例えば幅木との間に隙間が空いたり、吸湿時の床材の伸長によって突き上げが発生することなく、また、床鳴り等の問題が起きることを防ぎ、床材を床下地に作業性よく置敷いて施工することができる。
【００１８】
請求項２に記載した床材の施工方法においては、特に、上記床材の裏面には凹溝が刻設されてなるため、遮音、防音効果を発揮して、例えば、床面を歩行するとき発する歩行音が階下へ伝わることを防ぐとともに、椅子等を移動する際に発する衝撃音等を防ぐことができる。
【００１９】
請求項３に記載した床材の施工方法においては、特に、上記床材の裏面には弾性材が貼着されてなるため、この弾性材が床下地の不陸を吸収して弾性効果を発揮し、良好な歩行感が得られる。また、家具等を座りよく配置することができる。
【００２０】
請求項４に記載の床材の施工方法においては、特に、上記床材を木質床材とすることにより、インテリア性に優れた床面を形成することができるとともに、木質床材が吸湿、乾燥等により伸縮しても軟質クッション材が緩衝機能を発揮し、常に施工領域の側面との間に隙間を空けることなく施工できる。
【００２１】
請求項５に記載した床材の施工方法においては、特に、上記敷設領域の側面に貼着された軟質クッション体に通常の床材を突き付けて施工を終了するため、特に、隙間が空いたり、吸湿時の伸長によって床材の突き上げが発生することなく、また、床鳴り等の問題が起きることを防いで、作業性よく施工することができる。
【００２２】
請求項６に記載した床材の施工方法においては、特に、上記施工領域の側面と通常の床材との隙間に軟質クッション体をタイトに納めて施工を終了するため、特に、隙間が空いたり、吸湿時の伸長によって突き上げが発生することなく、また、床鳴り等の問題が起きることを防いで、作業性よく施工することができる。
【発明を実施するための最良の形態】
【００２３】
以下、本発明の実施形態について図面を参照して詳細に説明する。図１、図２、図３、図４（ａ）は、本発明にかかる床材の施工方法において用いられる通常の床材１、縦縁に軟質クッション材２１を延設した縦縁弾接床材２、片側の縦縁と横縁とにＬ字型に軟質クッション材３１を延設したコーナー部弾接床材３、横縁に軟質クッション材４１を延設した横縁弾接床材４をそれぞれ示す斜視図である。図４（ｂ）は、図４（ａ）に示す横縁弾接床材４の長さを半分にした短尺横縁弾接床材４ａおよび軟質クッション材４１ａを示す斜視図である。
【００２４】
図１に示されるように、床材１の裏面には下方に開口するコ字型の凹溝５が設けられ、この凹溝５は、遮音、防音効果を発揮して、例えば、床面を歩行するとき発する歩行音が階下へ伝わることを防ぐとともに、椅子等を移動する際に発する衝撃音等を防ぐ。また、床材の裏面には弾性材６が貼着され、例えば、床下地の不陸を吸収して歩行感をよくし、また、家具等を座りよく配置することができる。
【００２５】
つぎに、上記床材１、縦縁弾接床材２、コーナー部弾接床材３、横縁弾接床材４、短尺横縁弾接床材４ａを用いて床材を施工する方法について説明する。図５は、敷設領域９の側面に軟質クッション材を突き付けて施工を開始する状態を示す平面図である。まず、図５に示すように、縦縁弾接床材２は敷設領域９の長手部９１に軟質クッション材２１を弾接させ、コーナー部弾接床材３は敷設領域９のコーナー部９２にクッション材３１を弾接させ、敷設領域９の短手部９３には、横縁弾接床材４と短尺横縁弾接床材４ａとを軟質クッション材４１と４１ａとを突き付けて弾接させる。なお、符号９１ａは敷設領域９の長手部９１に対向する長手部を示し、符号９３ａは敷設領域９の短手部９３に対向する短手部を示すものである。
【００２６】
図６（ａ）、（ｂ）は、図５の符号Ａで示す○で囲む部分において、横縁弾接床材４の横縁に延設された軟質クッション材４１を突き付けて施工する状態を示す部分断面説明図である。図６（ａ）に示すように、壁面Ｗに沿って設けられた幅木７に軟質クッション材４１を当接し、白抜き矢印で示すように下向きに置き敷くことによって横縁弾接床材４を幅木７に隙間を空けることなく突き付けて施工することができる。図６（ｂ）は、上記のようにして施工した後の状態を示す部分断面説明図である。図６（ｂ）に示されるように、突き付けて施工された横縁弾接床材４は、吸湿、乾燥等により床材が伸縮しても軟質クッション材４１が緩衝機能を発揮し、常に幅木７との間に隙間を空けることなく見栄えよく施工することができる。このようにすることにより、横縁弾接床材４が突き上がったり、歩行する際に床鳴りが発生することを防げる。
【００２７】
上記のようにして軟質クッション材を幅木７等、敷設領域９の側面に突き付けて施工を開始した後、通常の床材１を連接して置敷き施工する。図７は、上記縦縁弾接床材２、コーナー部弾接床材３、横縁弾接床材４にそれぞれ通常の床材１を連接した状態を示す平面図である。上記した各床材は、図示しないが、実結合によって相互にしっかりと結合されている。
【００２８】
このようにして床材の置敷き施工を進めると、最終的に図８に示すように上記した施工領域９の他の長手部９１ａと床材１、および施工領域９の他の短手部９３ａと床材１との間に隙間が生じる。本発明の方法では、図９、図１０に示すように、上記隙間に軟質クッション体８を介装して施工を終了する。
【００２９】
図９は、図８の符号Ｂで示す○で囲んで示す隙間に、予め、幅木７に貼着した軟質クッション体８に床材１を突き付けて施工する状態を示す部分断面説明図である。図１０は、図８の符号Ｃで示す○で囲んで示す隙間に、幅木７と床材１との間に軟質クッション体８を隙間が空かないようにタイトに押し込んで介装する状態を示す部分断面説明図である。このようにして敷設領域９に施工後、側面、例えば幅木７との間に隙間が空いたり、吸湿時の伸長によって突き上げが発生することなく、また、床鳴り等の問題が起きることを防いで、床材を床下地に作業性よく置敷いて施工することができる。
【００３０】
なお、図９、図１０に示す方法は施工場所によって任意に選択できる。例えば、図８のＡ、Ｂ箇所のいずれも、幅木７と床材１との隙間に軟質クッション体８を隙間が空かないようにタイトに押し込んで介装してもよい。このように、本発明は設計変更自在であり、特許請求の範囲を逸脱しない限り、本発明の技術的範囲に属する。
【図面の簡単な説明】
【００３１】
【図１】本発明の床材の施工方法にかかる通常の床材を示す斜視図である。
【図２】縦縁に軟質クッション材を延設した縦縁弾接床材を示す斜視図である。
【図３】片側の縦縁と横縁にＬ字型に軟質クッション材を延設したコーナー部弾接床材を示す斜視図である。
【図４】（ａ）は横縁に軟質クッション材を延設した横縁弾接床材を示す斜視図、  （ｂ）は横縁に軟質クッション材を延設した短尺横縁弾接床材を示す斜視図である。
【図５】敷設領域の側面に軟質クッション材を突き付けて本発明の施工方法を開始する状態を示す平面図である。
【図６】（ａ）は本発明の施工方法の開始工程において横縁弾接床材を突き付けて施工する状態を示す部分断面説明図、（ｂ）は本発明の施工方法の開始工程において横縁弾接床材突き付けて施工した後の状態を示す部分断面説明図である。
【図７】本発明の施工方法において通常の床材を置き敷いて施工する状態を示す平面図である。
【図８】本発明の施工方法において通常の床材を敷き終えた最終段階を示す平面図である。
【図９】本発明の施工方法の終了工程の一実施形態を示す部分断面説明図である。
【図１０】本発明の施工方法の終了工程の他の実施形態を示す部分断面説明図である。
【符号の説明】
【００３２】
１          床材
２          縦縁弾接床材
２１        軟質クッション材
３          コーナー部弾接床材
３１        軟質クッション材
４          横縁弾接床材
４１        軟質クッション材
４ａ        短尺横縁弾接床材
４１ａ      軟質クッション材
５          凹溝
６          弾性材
７          幅木
８          軟質クッション体
９          敷設領域
９１        長手部
９１ａ      他の長手部
９２        コーナー部
９３        短手部
９３ａ      他の短手部
Ｗ          壁面
【図１】
2009046870.tif 000003
【図２】
2009046870.tif 000004
【図３】
2009046870.tif 000005
【図４】
2009046870.tif 000006
【図５】
2009046870.tif 000007
【図６】
2009046870.tif 000008
【図７】
2009046870.tif 000009
【図８】
2009046870.tif 000010
【図９】
2009046870.tif 000011
【図１０】
2009046870.tif 000012